(57)【要約】【課題】  複数の言語を使用する場所やユーザにおいても、単一の携帯用装置を共有し、且つ即時の出力言語の選択が可能なプリンタを提供する。【解決手段】  プリンタ１５に信号を送信する送信手段３及び言語を選択するスイッチ手段６を有する携帯用装置１から信号を受信する受信手段８と、音声を出力する音声出力手段１０と、携帯用装置１からの信号に基づいて音声出力のオン・オフを切り替える音声モード切替手段１２を備えたプリンタにおいて、複数の音声出力用言語データを保存する記憶手段１１と、携帯用装置１からの出力信号に含まれる言語情報により選択された言語を判別する判別手段１２を備え、選択言語の言語データを前記音声出力手段１０から出力することを特徴とする。【選択図】  図１
2008126565.tif 000002
【特許請求の範囲】
【請求項１】
プリンタに信号を送信する送信手段及び言語を選択するスイッチ手段を有する携帯用装置から信号を受信する受信手段と、
音声を出力する音声出力手段と、
前記携帯用装置からの信号に基づいて音声出力のオン・オフを切り替える音声モード切替手段を備えたプリンタにおいて、
複数の音声出力用言語データを保存する記憶手段と、
前記携帯用装置からの出力信号に含まれる言語情報により選択された言語を判別する判別手段を備え、
前記選択言語の言語データを前記音声出力手段から出力することを特徴とするプリンタ。
【発明の詳細な説明】
【技術分野】
【０００１】
本発明は、障害発生時などに音声が発せられるプリンタに関するものである。
【背景技術】
【０００２】
音声を利用した操作・通知に対応可能なコピー機、ファックス、プリンタなどの電子応用装置またはそれらを複合した電子応用装置において、視覚障害者等の操作者が該電子応用装置に近づいた時に、自動的に音声利用の操作モードに切り替える電子応用装置が知られている（例えば、特許文献１参照）。
【０００３】
また、機器などの対象物に人が接近したことを検知して、対象物から音声が通報されるが、接近する人が異なっても同一内容の音声情報が通報される。さらに、接近者に応じて必要な音声情報を通報する方法も知られている（例えば、特許文献２参照。）。
【０００４】
また、印刷データと共に言語情報を付加し、当該ジョブの印刷時に発生したエラーの内容を指定された言語で音声出力する構成も知られている（例えば、特許文献３参照。）。
【０００５】
【特許文献１】特開２００４−０６４２５０号公報
【特許文献２】特開２００６−０５８９４１号公報
【特許文献３】特開２００４−１１０２１４号公報
【発明の開示】
【発明が解決しようとする課題】
【０００６】
障害発生時には、操作パネルに絵や文字でプリンタの状態や情報が表示されるため、オペレータはそれらの情報によりプリンタの状態を知ることになる。しかし、目の不自由なオペレータはプリンタの状況を確認できなかった。特許文献１によると、音声言語は一つの言語となっているため、一般的に一つの国でしか販売できなくなってしまう。複数の国に販売するためにはその国ごとの言語を用意する必要があった。この点については、特許文献２も同様である。
【０００７】
また、特許文献３のように、印刷データと共に音声を出力する構成では、事前に設定された言語以外の選択出力ができないなどの問題を有している。
【０００８】
本発明の目的は、複数の言語を使用する場所やユーザにおいても、単一の携帯用装置を共有し、且つ即時の出力言語の選択が可能なプリンタを提供することにある。
【課題を解決するための手段】
【０００９】
前記目的を達成するため本発明は、プリンタに信号を送信する送信手段及び言語を選択するスイッチ手段を有する携帯用装置から信号を受信する受信手段と、音声を出力する音声出力手段と、前記携帯用装置からの信号に基づいて音声出力のオン・オフを切り替える音声モード切替手段を備えたプリンタにおいて、
複数の音声出力用言語データを保存する記憶手段と、前記携帯用装置からの出力信号に含まれる言語情報により選択された言語を判別する判別手段を備え、前記選択言語の言語データを前記音声出力手段から出力することを特徴とするものである。
【発明の効果】
【００１０】
本発明のプリンタでは、オペレータによる携帯用装置での言語選択信号に基づいて、音声出力が随時変更可能となる。従って、複数の言語を使用する場所やユーザにおいても、単一の携帯用装置を共有し、且つ即時の出力言語の選択が可能となる。
【発明を実施するための最良の形態】
【００１１】
次に本発明の実施形態を図と共に説明する。図１は、本発明の実施形態に係るプリンタのブロック図である。
【００１２】
図中の１は携帯用装置、２は送信アンテナ、３は送信部、４は制御部、５は表示部、６は言語切り替えスイッチ、７は受信アンテナ、８は受信部、９は全体制御部、１０はスピーカ、１１はメモリ、１２は言語制御部、１３は表示制御部、１４はオペレータコントロールパネル、１５はプリンタ、１６は選択言語確認スイッチである。
【００１３】
携帯用装置１の言語切り替えスイッチ６をオペレータが必要としている言語に切り替えると、制御部４は送信部３へ言語情報を出力する。送信部３から送信アンテナ２にて発せられた言語情報信号は、プリンタ１５のアンテナ７にて受信される。アンテナ７で受信された言語情報信号は、受信部８から全体制御部９に送られ、全体制御部９は、携帯用装置１が近くにある、言い換えればオペレータが近くにいると判断し、言語制御部１２へ制御を渡す。言語制御部１２は受信された言語情報データによって指定された言語（日本語、中国語、英語など）を指定しプリンタで使用できるようにする。その際、携帯用装置１には選択された言語が表示部５に表示されており、何の言語が選択されているかが一目でわかるようになる。また、視覚障害者のために、携帯用装置１の言語確認スイッチ１６を押すことにより、選択されている言語を音声にて知らせることができる。
【００１４】
尚、携帯用装置１は常時または一定間隔で言語情報の電波を発信しており、オペレータが携帯用装置１のスイッチ６により他の言語に切り替えた場合は、言語情報は前記のルートにてプリンタ１５の言語制御部１２にて言語が切り替えられたと判断され、メモリ１１上の指定された言語を選択する。
【００１５】
また、プリンタ内においての言語情報データは、高速読み出しが必要なため、プリンタ１５起動時にハードディスクからメモリ１１上に格納される。
【００１６】
一方、全体制御部９は携帯用装置からの言語情報が受信されていないと判断されれば、全体制御部９は表示制御部１３へ制御を渡し、オペレータコントロールパネル１４での表示となる。
【００１７】
次にこのプリンタの処理について図２を用いて説明する。
【００１８】
ステップ１０１では携帯用装置にてオペレータが使用したい言語を選択する。ステップ１０２では、オペレータが選択した言語を携帯用装置の表示部に表示する。ステップ１０３では、携帯用装置から言語情報をプリンタに送信する。ステップ１０４では、プリンタにて言語情報を受信できたか判断を行う。
【００１９】
ここで言語情報が受信できたと判断されればプリンタは指定された言語にて音声モードへと切り替わる。プリンタは言語情報が受信され続けている限り指定された言語にて動作を続ける。オペレータが言語設定を切り替えればステップ１０１から再スタートし、ステップ１０４にて判断を行い言語情報を受信できれば、ステップ１０５にて選択された言語に切り替わる。
【００２０】
尚、受信部８は携帯用装置１からの信号の有無を常時検出する機能を有しており、信号が検出された場合には、全体制御部９に情報を送り、これにより前記ステップがスタートする。
【００２１】
プリンタが言語情報を受信されていないと判断されれば、言い換えれば携帯用装置を持ったオペレータが近くにいない場合には、プリンタは通常のオペレータパネルでの表示モードへと切り替わる。
【００２２】
プリンタ以外にもオペレータコントロールパネルにて操作をし、音声にて通知できる電子装置においても適用できる。
【図面の簡単な説明】
【００２３】
【図１】本発明の実施形態に係るプリンタのブロック図である。
【図２】そのプリンタの動作を説明するためのフローチャートである。
【符号の説明】
【００２４】
１：携帯用装置、２：送信アンテナ、３：送信部、４：制御部、５：表示部、６：言語切り替えスイッチ、７：受信アンテナ、８：受信部、９：全体制御部、１０：スピーカ、１１：メモリ、１２：言語制御部、１３：表示制御部、１４：オペレータコントロールパネル、１５：プリンタ、１６：選択言語確認スイッチ。
【図１】
2008126565.tif 000003
【図２】
2008126565.tif 000004